(57)【要約】【課題】使い勝手がよく、構成を簡略化して部品点数を少なくし、小型化を実現した電気掃除機を提供することを目的とする。【解決手段】吸引風を発する電動送風機２と、前記電動送風機２が吸引した塵埃を捕集する集塵部６と、前記集塵部６を覆い回動自在な集塵部蓋４とを備え、前記集塵部蓋４に把手部７を一体的に形成したもので、無駄な動作等することなく、把手部７をそのまま掴んで掃除機本体を持ち運ぶことができるので取り扱い性が優れ、また、一体的に設けることで、成形工数や組立工数を減少することができ安価にできる。【選択図】　図１
2004113599.tif 000002
【特許請求の範囲】
【請求項１】
吸引風を発する電動送風機と、前記電動送風機が吸引した塵埃を捕集する集塵部と、前記集塵部を覆い回動自在な集塵部蓋とを備え、前記集塵部蓋に把手部を一体的に形成した電気掃除機。
【請求項２】
把手部の下方に、使用者が手をかけるための空間部を設けた請求項１記載の電気掃除機。
【請求項３】
集塵部蓋に開口部を設け、前記開口部の上方に把手部を設けた請求項１または２記載の電気掃除機。
【請求項４】
集塵部蓋は上方に回動自在であるとともに、把手部の下方に着脱可能な集塵部を配置させた請求項１〜３のいずれか１項に記載の電気掃除機。
【請求項５】
集塵部の上面に前記集塵部と一体的に形成した把手部を備え、前記集塵部を集塵部蓋が覆った状態では、前記集塵部の把手部と前記集塵部蓋の把手部が重なるよう配置した請求項１〜４のいずれか１項に記載の電気掃除機。
【請求項６】
集塵部において、吸引風に含まれている塵埃は、前記集塵部内にて前記吸引風とともに旋回することにより、前記吸引風と遠心分離される請求項１〜５のいずれか１項に記載の電気掃除機。
【請求項７】
集塵部は可視性を有する部材から形成されるとともに、集塵部蓋に設けられた開口部の下方に配置されてなる請求項３〜６のいずれか１項に記載の電気掃除機。
【請求項８】
把手部下方に、掃除機本体に設けられた肩掛けベルトなどの付属品を収納できるようにした請求項２〜７のいずれか１項に記載の電気掃除機。
【発明の詳細な説明】
【０００１】
【発明の属する技術分野】
本発明は、一般家庭において使用する電気掃除機に関するものである。
【０００２】
【従来の技術】
従来の電気掃除機は、図５に示すものが一般的であり、以下図面にしたがって説明する。
【０００３】
図５に示すように、掃除機本体１は電動送風機２を内蔵し、電動送風機２の吸引側に集塵部３と集塵部３の上方を覆う回動自在な集塵部蓋４を配置し、本体１の上方部に握り部が前後方向に配置された把手部５を設け、上下方向に回動する構成としている（例えば、特許文献１参照。）。
【０００４】
【特許文献１】
特開２００１−３７６９３号公報
【０００５】
【発明が解決しようとする課題】
しかしながら、上記従来の構成では、把手部５を別部品とする必要があり、一度把手部５を上方へ回動させてからでないと、掴んで持ち運びできないという課題があった。また、上方へ回動させるために構造が複雑になり、組立工数が増加するという課題があった。
【０００６】
本発明は上記課題を解決するもので、使い勝手がよく、構成を簡略化して部品点数を少なくし、小型化を実現した電気掃除機を提供することを目的とする。
【０００７】
【課題を解決するための手段】
上記目的を達成するために本発明は、吸引風を発する電動送風機と、前記電動送風機が吸引した塵埃を捕集する集塵部と、前記集塵部を覆い回動自在な集塵部蓋とを備え、前記集塵部蓋に把手部を一体的に形成したもので、無駄な動作等することなく、把手部をそのまま掴んで掃除機本体を持ち運ぶことができるので取り扱い性が優れ、また、一体的に設けることで、成形工数や組立工数を減少することができ安価にできる。
【０００８】
【発明の実施の形態】
本発明の請求項１記載の発明は、吸引風を発する電動送風機と、前記電動送風機が吸引した塵埃を捕集する集塵部と、前記集塵部を覆い回動自在な集塵部蓋とを備え、前記集塵部蓋に把手部を一体的に形成したもので、無駄な動作等することなく、把手部をそのまま掴んで掃除機本体を持ち運ぶことができるので取り扱い性が優れ、また、一体的に設けることで、成形工数や組立工数を減少することができ安価にできる。
【０００９】
本発明の請求項２記載の発明は、把手部の下方に、使用者が手をかけるための空間部を設けたもので、本体を小型化できるとともに、使用性を向上できる。
【００１０】
本発明の請求項３記載の発明は、集塵部蓋に開口部を設け、前記開口部の上方に把手部を設けたもので、把手部を形成するためのスライドコアが不要になり、集塵部蓋の金型構造が簡略化でき、金型費が安価にできる。
【００１１】
本発明の請求項４記載の発明は、集塵部蓋は上方に回動自在であるとともに、把手部の下方に着脱可能な集塵部を配置させたもので、集塵部を掃除機本体より取り外し、集塵部に蓄積した塵埃を廃棄でき、使用性を向上できる。
【００１２】
本発明の請求項５記載の発明は、集塵部の上面に前記集塵部と一体的に形成した把手部を備え、前記集塵部を集塵部蓋が覆った状態では、前記集塵部の把手部と前記集塵部蓋の把手部が重なるよう配置したもので、持ち運ぶ際に把手部を掴むと、集塵部の把手部と集塵部蓋の把手部が二重に重なっているため、強度が十分確保できるとともに、厚みが増すため掴んだ際の感触が良化する。
【００１３】
本発明の請求項６記載の発明は、集塵部において、吸引風に含まれている塵埃は、前記集塵部内にて前記吸引風とともに旋回することにより、前記吸引風と遠心分離されるもので、集塵部に蓄積した塵埃を簡単に廃棄でき、使用性を向上できる。
【００１４】
本発明の請求項７記載の発明は、集塵部は可視性を有する部材から形成されるとともに、集塵部蓋に設けられた開口部の下方に配置されてなるもので、集塵部内における塵埃の蓄積具合を使用者が、確認できる。
【００１５】
本発明の請求項８記載の発明は、把手部下方に、掃除機本体に設けられた肩掛けベルトなどの付属品を収納できるようにしたもので、本体の大型化することなく収納スペースも確保できる。
【００１６】
【実施例】
以下に本発明の一実施例を図１〜図４を用いて説明する。
【００１７】
吸引風を発する電動送風機２を内蔵した掃除機本体１には、前記電動送風機２の吸気上流側に前方に着脱可能に装着され吸引した塵埃を捕集する集塵部６が可視性を有する材料にて形成され設けられている。前記集塵部蓋４に開口部１０を形成し、前記開口部１０の下方に前記集塵部６を配置し、上方から前記集塵部６の上面の一部を覆うよう、前記集塵部蓋４は上下方向に回動自在となっている。
【００１８】
集塵部蓋４には、前記掃除機本体１を持ち運ぶための把手部Ａ７を、前記開口部１０の上方に一体的に形成するとともに、把手部Ａ７の下面の下方は開放状態でかつ、空間Ａ１１を前記把手部Ａ７の下面と前記集塵部６の上面との間に有している。また、上方から前記集塵部６の内部の様子（塵埃の蓄積具合等）が使用者により確認できるよう、前記集塵部６の上面の一部のみを前記把手部Ａ７が覆う構成となっている。
【００１９】
把手部Ａ７の下面と集塵部６の上面との間に形成されている空間Ａ１１を用いて、集塵部６の上面にも把手部Ｂ８を一体に形成し、集塵部６を集塵部蓋４が覆った状態では把手部Ａ７が上方で把手部Ｂ８が下方の位置関係で接触かつ二重に重なるよう配置している。また、集塵部６の上面で、把手部Ｂ８の下方には把手部Ｂ８に手をかけるための空間Ｂ１２を形成している。掃除機本体１の左右にはシャフト９を設け、肩掛け使用時には肩掛けベルト（図示せず）をシャフト９に引っ掛けて使用できるようにしている。
【００２０】
次に集塵部６について詳しく説明する。吸気口１３より侵入した塵埃を含んだ吸引風は、略円筒状の塵埃分離室１４の内壁に沿って旋回し、遠心分離作用により吸引風と塵埃は分離され、前記分離した塵埃は、前記塵埃分離室１４の下方の塵埃収納室１６に蓄積される。一方、吸引風はフィルタ１５を通過した後、排気口１７を通過して、電動送風機２へと吸引されていく。前記塵埃収納室１６内に塵埃が蓄積された際には、前記集塵部蓋４を上方へ集塵部６を覆った状態より略９０°回動させた後、前記集塵部６を掃除機本体１より前方へ取りだし、さらにロック１８を開くことで、前記塵埃収納室１６に蓄積した塵埃を廃棄する。
【００２１】
上記構成による作用は以下の通りである。
【００２２】
把手部Ａ７と把手部Ｂ８をそのまま掴んで掃除機本体１を持ち運ぶことができるので取り扱い性が優れている。また、前記把手部Ａ７と把手部Ｂ８をそれぞれ集塵部蓋４と集塵部６に一体的に設けたことで、成形工数や組立工数を減少することができ安価にできる。把手部Ｂ８の下方に空間Ｂ１２を設けたことで、手をかける空間を確保するだけで良いため、前記把手部Ｂ８の高さを抑えることができ、掃除機本体１の小型化にもなる。
【００２３】
把手部Ａの下方が開放されているため、集塵部蓋４の把手部Ａ７を形成するためのスライドコアが不要になり、集塵部蓋４の金型構造が簡略化でき、金型費が安価にできる。
【００２４】
また、集塵部６が遠心分離方式であるため、前記集塵部６に蓄積した塵埃を捨てる際に特に簡単で、それに加え把手部Ｂ８をつかんで捨てることができるのでより使用性が高い。また、集塵部６が可視性を有する材料にて形成され、かつ上方から前記集塵部６の内部の様子（塵埃の蓄積具合等）が使用者により確認できるよう、前記集塵部６の上面の一部のみを前記把手部Ａ７が覆う構成となっているため、使用者は集塵部６に蓄積した塵埃を捨てるタイミングを容易に判断できる。
【００２５】
さらに、掃除機本体１を持ち運ぶ際に把手部を掴むと、把手部Ａ７と把手部Ｂ８が二重に重なっているため、強度が十分確保できるとともに、厚みが増すため掴んだ際の感触が良化する。
【００２６】
また、肩掛け使用しないときは、肩掛けベルトを把手部Ｂ８の下方に収納することができ、掃除機本体１を大型化することなく収納スペースも確保できる。
【００２７】
【発明の効果】
本発明によれば、使い勝手がよく、構成を簡略化して部品点数を少なくし、小型化を実現した電気掃除機を提供できる。
【図面の簡単な説明】
【図１】本発明の一実施例を示す電気掃除機の部分断面図
【図２】同集塵部の断面図
【図３】同掃除機本体の全体斜視図
【図４】同集塵部の部品斜視図
【図５】従来の掃除機本体の部分断面図
【符号の説明】
１　本体
２　電動送風機
４　集塵部蓋
６　集塵部
７　把手部Ａ
８　把手部Ｂ
【図１】
2004113599.tif 000003
【図２】
2004113599.tif 000004
【図３】
2004113599.tif 000005
【図４】
2004113599.tif 000006
【図５】
2004113599.tif 000007